(57)【要約】【課題】  一つの選択子により項目の選択と処理の実行の指示とが可能で、且つ誤って処理の実行を指示してしまうことを防止するディジタルカメラを提供する。【解決手段】  本発明に係るディジタルカメラは、撮影対象の光学像をディジタル画像データとして記憶するディジタルカメラであって、回転軸周りに回転または揺動可能であり、前記回転軸の軸方向に移動可能な選択子と、前記選択子の回転または揺動に応じて所定のメニューから項目を選択し、前記選択子が軸方向に移動するとそのとき選択している項目に応じた処理を実行する処理部と、を備える。【選択図】  図１
2005128252.tif 000002
【特許請求の範囲】
【請求項１】
撮影対象の光学像をディジタル画像データとして記憶するディジタルカメラであって、
回転軸周りに回転または揺動可能であり、前記回転軸の軸方向に移動可能な選択子と、
前記選択子の回転または揺動に応じて所定のメニューから項目を選択し、前記選択子が軸方向に移動するとそのとき選択している項目に応じた処理を実行する処理部と、
を備えることを特徴とするディジタルカメラ。
【請求項２】
前記メニューは、上位メニューの項目に下位メニューが従属する階層化されたメニューとして構成され、
前記処理部は、下位メニューが従属している項目を選択しているときに前記選択子が移動すると、当該下位メニューに移動する処理を実行することを特徴とする請求項１に記載のディジタルカメラ。
【請求項３】
前記選択子を前記軸方向の一方の向きに付勢する付勢手段を備えることを特徴とする請求項１又は２に記載のディジタルカメラ。
【発明の詳細な説明】
【技術分野】
【０００１】
本発明はディジタルカメラに関する。
【背景技術】
【０００２】
従来、特許文献１に示されているように、十字キーを用いてカーソルを上下左右に移動してＬＣＤ（Liquid Crystal Display）に表示された項目のいずれかを選択し、十字キー全体を押し込むことにより項目に応じた処理の実行を指示するディジタルカメラが知られている。
また、特許文献２に開示されているように、ジョグダイヤルを回転してズーム機能またはピント機能を操作するとともに、ジョグダイヤルを押し込むことによりシャッター機能を操作するディジタルカメラが知られている。
【０００３】
【特許文献１】特開２００１−１７７７５８号公報（図３）
【特許文献２】特開２００２−３３３６６０号公報
【発明の開示】
【発明が解決しようとする課題】
【０００４】
しかしながら、特許文献１では、項目を選択するために十字キーの上下左右を押し込む方向と、選択した項目に応じた処理の実行を指示するために十字キー全体を押し込む方向とが同じであるため、項目の選択操作と実行を指示する操作とを誤操作する恐れがある。
また、例えば外装がすべて金属で構成される高級感のあるディジタルカメラに十字キーを組み込むことは困難である。したがって、十字キーに代えて安価でＧＵＩ（Graphical User Interface）の機能に優れている操作キーが望まれる。
【０００５】
また特許文献２では、ジョグダイヤルを回転して操作する力がジョグダイヤルの回転軸と交差する方向に働くので、ジョグダイヤルを回転する操作により、ジョグダイヤルが押し込まれ、誤ってシャッター操作となる恐れがある。また特許文献２では、ジョグダイヤルを回転して押すという操作だけでディジタルカメラの機能を選択するので、機能の選択自由度が低く、ＧＵＩの機能として不十分である。
本発明は、かかる問題に鑑みて創作されたものであって、一つの選択子により項目の選択と処理の実行の指示とが可能で、且つ誤って処理の実行を指示してしまうことを防止するディジタルカメラを提供することを目的とする。
【課題を解決するための手段】
【０００６】
上記目的を達成するため、本発明に係るディジタルカメラは、撮影対象の光学像をディジタル画像データとして記憶するディジタルカメラであって、回転軸周りに回転または揺動可能であり、前記回転軸の軸方向に移動可能な選択子と、前記選択子の回転または揺動に応じて所定のメニューから項目を選択し、前記選択子が軸方向に移動するとそのとき選択している項目に応じた処理を実行する処理部と、を備えることを特徴とする。このディジタルカメラによると一つの選択子により項目の選択と処理の実行の指示とが可能である。選択子を回転する力は、選択子の回転軸と交差する方向に働くので、選択子を回転する力は選択子を回転軸に沿って移動させる力として働かない。したがって項目を選択するときに選択子を誤って回転軸の軸方向に移動させてしまうことが起き難い。このため誤って処理の実行を指示してしまうことを防止できる。選択子は金属で形成することが望ましい。このような選択子は、全ての外装を金属性にした高級感のあるディジタルカメラに好適である。
【０００７】
さらに本発明に係るディジタルカメラでは、前記メニューは、上位メニューの項目に下位メニューが従属する階層化されたメニューとして構成され、前記処理部は、下位メニューが従属している項目を選択しているときに前記選択子が移動すると、当該下位メニューに移動する処理を実行することを特徴とする。このディジタルカメラによると、メニューを階層化することにより、多くの項目の中から目的の項目を選択することを一つの選択子で容易に行うことができる。
【０００８】
さらに本発明に係るディジタルカメラでは、前記選択子を前記軸方向の一方の向きに付勢する付勢手段を備えることを特徴とする。このディジタルカメラによると、付勢手段の付勢力により選択子が自動で特定の位置に戻るので、選択子を移動した後に選択子の位置を手動で戻す必要がない。したがって、操作が容易になる。
【０００９】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【発明を実施するための最良の形態】
【００１０】
以下、本発明を実施するための最良の形態を複数の実施例に基づいて説明する。
（第一実施例）
図１に、本発明の第一実施例に係るディジタルカメラとしてのディジタルスチルカメラ（以下「ＤＳＣ」という。）１０の外観を示し、図２にＤＳＣ１０のハードウェア構成のブロック図を示す。まず、ＤＳＣ１０のハードウェア構成について説明する。
【００１１】
図２に示す光学系１２は、レンズ、絞り等で構成されている。光学系１２はイメージセンサ１３の受光面に撮像対象の光学像を結像させる。
イメージセンサ１３は、２次元空間に離散的に配置された画素とＣＣＤ（Charge Coupled Device）等の電荷転送素子とを備えたエリアイメージセンサである。イメージセンサ１３は、センサコントローラ１７によって駆動される。イメージセンサ１３は、光学系１２により結像される光学像を光電変換して得られる電荷を画素毎に一定時間蓄積し、画素毎の受光量に応じた電気信号を出力する。イメージセンサ１３は、受光面にＣ（Cyan）、Ｍ（Magenta）、Ｙ（Yellow）及びＧ（Green）の４色の補色フィルタ、またはＲ（Red）、Ｇ（Green）及びＢ（Blue）の原色フィルタを設けることによりカラー画像情報を取り込むことが可能である。
【００１２】
Ａ／Ｄ変換部（ＡＤＣ）１４は、イメージセンサ１３から出力される電気信号を量子化してディジタル信号に変換する。具体的には例えば、ＡＤＣ１４は、電気信号に含まれる雑音の低減処理、ゲインの調整による電気信号のレベル調整処理、量子化処理等を行い、少なくとも１２ｂｉｔの画像データを画素毎に出力する。
【００１３】
ディジタル画像処理部１５は、ＡＤＣ１４から出力されたディジタル信号に対し、画像形成処理、ホワイトバランス補正、γ補正、色空間変換等を施し、各画素についてＲ、Ｇ、Ｂの階調値や、Ｙ、Ｃｂ、Ｃｒの階調値などを表すディジタル画像データを作成する。ここで画像形成処理とは、画素から出力された一色分の輝度情報を近傍の画素の異なる色の輝度情報で補間することにより画素毎にＲ、Ｇ、Ｂ又はＹ、Ｃｂ、Ｃｒの３つの階調値を持つディジタル画像データを出力する処理のことをいう。
【００１４】
圧縮・伸張部１６は、作成されたディジタル画像データを圧縮、又は圧縮されたディジタル画像データを伸張する。圧縮・伸張部１６は、具体的には例えば国際規格である非可逆圧縮方式であるＪＰＥＧ形式や、データの切り捨てを伴わない可逆圧縮方式を用いた圧縮を行う。また、圧縮・伸張部１６は圧縮を行わないＴＩＦＦ形式のディジタル画像データに変換することも可能に構成されている。ＴＩＦＦ形式の場合の圧縮率は「圧縮なし」ということになる。ＡＤＣ１４から出力されたディジタル信号に対し、画像処理をせずＡＤＣ１４からの出力をそのまま取り出しＲａｗ形式のデータとして記憶部３０に送出し、リムーバブルメモリ３１に記憶させることも可能である。
【００１５】
処理部２０は、ＣＰＵ２１、フラッシュメモリ２２、ワークメモリ２３を備える。ＣＰＵ２１はフラッシュメモリ２２に記憶されているコンピュータプログラムを実行することでＤＳＣ１０の全体を制御する。フラッシュメモリ２２は、各種のプログラムやデータなどを記憶するメモリである。フラッシュメモリ２２に記憶する各種のプログラムやデータは所定のサーバからネットワークを介してダウンロードして記憶してもよいし、リムーバブルメモリ３１等のコンピュータ読み取り可能な記憶媒体から読み出して記憶してもよい。ワークメモリ２３は、プログラムやデータを一時的に記憶するためのメモリである。
【００１６】
記憶部３０は、リムーバブルメモリ３１を接続するためのカードスロット、メモリコントローラなどを備える。記憶部３０は処理部２０によって制御され、圧縮・伸張部１６で圧縮されたディジタル画像データをリムーバブルメモリ３１へ書き込むことによって記憶する。また、記憶部３０は処理部２０によって制御され、リムーバブルメモリ３１に記憶されているディジタル画像データの読み込みも行う。
【００１７】
電源部３６は、電池３７および制御回路などを備え、各部に電気的に接続されている。電池３７は各部に電力を供給する。
次に、ＤＳＣ１０の外観について説明する。ＤＳＣ１０の外装は全て金属製である。
図１に示すスイッチ４７が電源スイッチである。巻き上げレバー４０は、銀塩カメラの操作性を継承するために設けられているものであり、巻き上げレバー４０によって巻き上げ操作を行うことで、メカニカルシャッターを撮影動作可能にするためのシャッターチャージを行うことによりシャッターボタン４３が押下可能になるように構成されている。ダイヤルスイッチ４２は、シャッタースピードや撮像条件の種類などを選択するためのスイッチである。シャッターボタン４３はダイヤルスイッチ４２の中央部に設置されている。
【００１８】
ダイヤルスイッチ４２に隣接して設置されている針式の表示装置４４の外周は回転式のダイヤルとなっており露出補正を−２ＥＶから＋２ＥＶまで１／３ＥＶ刻みで設定可能である。表示装置４４の内周側には、撮影可能な残り画像数、撮像条件としての複数のホワイトバランス及び撮像条件としての複数の圧縮率が表記され、更に、電池３７の電池残量を表す電池残量目盛が表記されている。ホワイトバランスとは本実施例では光源の種類のことをいい、表示装置４４の内周側に、光源の種類又は光源の種類をＤＳＣ１０側で判定するオートモードを表す記号が表記されている。光源を、”オートモード”、”デイライト（太陽光）”、”曇天”、”白熱灯”、”日陰”、”蛍光灯”、”水銀灯”等の内から選択し、ディジタル画像に対してホワイトバランス補正を設定する。また、圧縮率として、Ｒａｗ形式、ＴＩＦＦ形式、高圧縮率または低圧縮率のＪＰＥＧ方式を選択する。このような表示装置４４の内周側に表示されている項目のうち現在選択されている項目は指針によって示されている。ＳＷ(switch)レバー４８を操作しながら後述するジョグダイヤル６０を回すと、表示装置４４の指針を動かし、選択項目を変更できる。また、表示装置４４の内周側に電池残量が表示されている。切り替えスイッチ４６は画角を切り換えるためのスイッチである。
【００１９】
ＬＣＤ５０は、ディスプレイコントローラ５２（図２参照）によって制御され、撮影済みのディジタル画像の再生表示や各種の設定メニューなどを表示する。
ディスプレイコントローラ５２は、ＬＣＤ５０の一画面分のデータを格納するためのフレームバッファと、フレームバッファに格納されたデータに基づいてＬＣＤ５０を駆動するための表示回路とを備える。
【００２０】
ＬＣＤ５０の右にＬＣＤ  ＳＷ(switch)５３、ＭＥＮＵ（↑）ＳＷ５４、ＥＮＴＥＲ（↓）ＳＷ５５、ＣＡＮＣＥＬ  ＳＷ５６が設置されている。光学ファインダ５８はユーザが撮影対象を視認するために使用する。
操作子としてのジョグダイヤル６０は、図１の（Ｂ）に示す矢印Ｘ、Ｙ方向に回転可能であり、ジョグダイヤル６０の回転軸方向である図１の（Ａ）に示す矢印Ｘ、Ｙ方向に移動可能である。また、ジョグダイヤル６０は図３の（Ａ）に示すホームポジションである下ポジションと、図３の（Ｂ）に示すように、下ポジションからジョグダイヤル６０をＸ方向に移動させた上ポジションとに位置を変更可能である。図３に示すジョグダイヤル６０のポジションに対し、図４および図５に示すように、上ポジションにおいて、ジョグダイヤル６０がＤＳＣ１０の上面から突出しないようにしてもよい。図１の（Ａ）に示すようにジョグダイヤル６０は、ＤＳＣ１０の上部に回転軸が鉛直になる姿勢で設けられている。処理部２０は、ジョグダイヤル６０が図１の（Ｂ）に示す矢印Ｘ、Ｙ方向に回転することで項目の選択を行い、図１の（Ａ）に示す矢印Ｘ、Ｙ方向に移動するとそのとき選択している項目に応じた処理を実行する。詳細については後述する。ジョグダイヤル６０にはジョグダイヤル６０を軸方向の一方の向きに付勢する付勢手段が設けられている。具体的には、ジョグダイヤル６０を上ポジション側からホームポジションである下ポジション側に向けて付勢するスプリング等の付勢部材が設けられている。このためジョグダイヤル６０を上ポジションに移動させると、ジョグダイヤル６０は付勢部材によって鉛直下向きに付勢されて自動的にホームポジションに復帰する。ジョグダイヤル６０がホームポジションにある場合、移動可能な方向は図１の（Ａ）において鉛直上向きのみとなり、従ってジョグダイヤル６０を移動させる場合はジョグダイヤル６０を上に押し上げる操作を行うことになる。図１の（Ａ）に示す姿勢のＤＳＣ１０を両手で支持して操作する場合、ジョグダイヤル６０を回転させているときに誤操作によってジョグダイヤル６０を上に押し上げてしまう可能性は、下に押し込んでしまう可能性に比べて小さい。従って下ポジションをホームポジションにすると誤操作を更に防止できる。第一実施例では、ジョグダイヤル６０を移動させた場合、その後のジョグダイヤル６０の回転はジョグダイヤル６０がホームポジションに復帰した後に行われるものとする。ジョグダイヤル６０にはジョグダイヤル６０が回転軸方向に移動することによってオン／オフされる図示しないリーフスイッチ(leaf switch)が設けられており、処理部２０はリーフスイッチのオン／オフによってジョグダイヤル６０の移動を検出する。
【００２１】
次に、ジョグダイヤル６０の操作に基づくＤＳＣ１０の機能について説明する。図６、図７および図８はＤＳＣ１０の機能モードの遷移を示している。
撮像を行う場合、電源オフ状態１００から電源スイッチ４７によりＤＳＣ１０の電源をオンにし撮影モード１０２に移行する。また、電源スイッチ４７をＯＦＦすると電源ＯＦＦ状態１００になる。一方、撮影モード１０２に移行してからＬＣＤ  ＳＷ５３をオンすると、再生モード１１０に移行する。撮影モード１０２または再生モード１１０においてＤＳＣ１０の操作を行わず所定の節電移行時間設定に達すると、スリープモード１０４に移行し、ＬＣＤ５０の表示を停止する。スリープモード１０４において、電源スイッチ４７をオフすると電源オフ状態１００に移行し、ＬＣＤ  ＳＷ５３をオンすると再生モード１１０に移行し、シャッターボタン４３を押すと撮影モード１０２に移行する。
【００２２】
再生モード１１０においてＭＥＮＵ（↑）ＳＷ５４を押すと、メインメニュー１３０に移行してＬＣＤ５０にメニューの表示が行われる。また、メインメニュー１３０においてＣＡＮＣＥＬ  ＳＷ５６を押すと再生モード１１０に移行する。
再生モード１１０は、リムーバブルメモリ３１に記憶されているディジタル画像データが表す画像をＬＣＤ５０に表示し、画像再生を行うモードである。
【００２３】
再生モード１１０に移行した直後のモードは、コマ送り／戻しモード１１２である。コマ送り／戻しモード１１２でジョグダイヤル６０を回転すると、リムーバブルメモリ３１に記憶されている画像が標準表示で順次コマ送り、またはコマ戻しされる。図８の（Ａ）に示すように、標準表示ではリムーバブルメモリ３１に記憶した総画像数と、現在表示している画像番号である画像番号／総画像数２００が表示される。本実施例では、コマ送り／戻しモード１１２で表示される複数の画像が上位メニューに相当する。処理部２０は、ジョグダイヤル６０の回転に応じて画像を選択し、選択した画像をＬＣＤ５０に表示する。ジョグダイヤル６０が移動すると、処理部２０はジョグダイヤル６０が移動したときに選択していた画像に従属する下位メニューに移動する処理を実行する。
【００２４】
再生モード１１０においてジョグダイヤル６０を押し上げて移動させると、処理部２０は選択された画像に応じた処理を実行する。ホームポジションに復帰した後にジョグダイヤル６０を回転すると、図７に示すように、ＬＣＤ５０に表示するモードを標準表示１１４、簡易情報表示１１６、ヒストグラム表示１１８、ハイライト表示１２０、詳細情報表示１２２、ＧＵＩ(Graphical User Interface)非表示１２４、４分割表示１２６の中から選択できる。すなわち前述したコマ送り／戻しモード１１２で表示される各画像には”表示するモードを選択するメニュー（以下「表示モード選択メニュー」という。）”が従属しており、処理部２０は上位メニューでジョグダイヤル６０が移動すると下位メニューとしての表示モード選択メニューに移動する処理を実行する。この結果、ユーザはジョグダイヤル６０を移動させた後にジョグダイヤル６０を回転させることにより、選択した画像を表示するモードを表示モード選択メニューの中から選択できる。このようにメニューを階層化すると、多くの項目の中から目的の項目を一つのジョグダイヤルで容易に選択できる。
【００２５】
尚、上述した例では画像を選択すると下位メニューに移動する処理を実行する場合を例に説明したが、例えば画像を印刷する等の処理を実行する様にしてもよい。
図８の（Ａ）に示すように、標準表示１１４には、画像に加え、画像番号／総画像数２００が表示される。
図８の（Ｂ）に示すように、簡易情報表示１１６には、画像に加え、現在の画像番号／総画像数２００、ファイル番号＋撮影クオリティ２０２、ファイル保護２０４、撮影日時２０６が表示される。
【００２６】
図８の（Ｃ）に示すように、ヒストグラム表示１１８には、画像に加え、現在の画像番号／総画像数２００とヒストグラム２２０が表示される。
ハイライト表示１２０は、図９の（Ａ）では明瞭ではないが、白飛びしている箇所を画像上に表示する。
図９の（Ｂ）に示すように、詳細情報表示１２２には、画像に加え、現在の画像番号／総画像数２００、ファイル番号＋撮影クオリティ２０２、ファイル保護２０４、撮影日時２０６、ファイル番号２０８、シャッタースピード２１０、ホワイトバランス（ＷＢ）２１２、解像度２１４、ＩＳＯ感度２１６、フィルム設定２１８が表示される。
【００２７】
ＧＵＩ非表示１２４は画像のみを表示する。
図９の（Ｃ）に示すように、４分割表示１２６は、現在の画像番号を始めとして、連続する４つの番号の画像を４分割表示する。４分割表示１２６でジョグダイヤル６０を回転すると、現在選択されている画像の枠が強調される。
再生モード１１０においてジョグダイヤル６０を押し上げて移動させると、選択されていた画像を標準表示１１４で表示し、コマ送り／コマ戻しモード１１２に移行する。
【００２８】
次にメインメニュー１３０におけるジョグダイヤル６０の操作について説明する。
メインメニュー１３０において、ジョグダイヤル６０を回転すると、メインメニュー１３０において、削除モード１３２、ロックモード１３４、拡大モード１３６、印刷モード１３８、スライドショーモード１４０、カメラ設定モード１４２に順次移行する。以下、各モードを簡単に説明する。
【００２９】
削除モード１３２は、リムーバブルメモリ３１から画像ファイルを削除するか否かを決定する。ロックモード１３４は、リムーバブルメモリ３１からの画像ファイルの削除を禁止するか否を決定する。拡大モード１３６は、表示画像を拡大、縮小表示する。印刷モード１３８は、画像を印刷するか否かを決定する。スライドショーモード１４０は、画像を順次表示する。カメラ設定モード１４２は、撮影条件の内、画像の白黒またはカラー設定、彩度、またはコントラスト等を設定する。
【００３０】
ここで、例えばメインメニュー１３０の拡大モード１３６が選択された状態でＥＮＴＥＲ（↓）ＳＷ５５を押すと、詳細な拡大モード１５０に移行する。詳細な拡大モード１５０においてＣＡＮＣＥＬ  ＳＷ５６を押すと、メインメニュー１３０に移行する。
図１０に示すように、拡大モード１５０では、拡大モードであることを明示するために画面の左隅に拡大モードアイコン１５２を表示する。
【００３１】
拡大モード１５０に移行した直後の場合、ジョグダイヤル６０の回転方向により、ディジタル画像データが表す画像を拡大または縮小して表示できる。
拡大モード１５０に移行した後にジョグダイヤル６０を移動させることを一度だけ行った場合、ジョグダイヤル６０を回転すると、ジョグダイヤル６０の回転方向により画像を右方向または左方向の水平方向にスクロールさせることができる。この状態でジョグダイヤル６０を移動させることをまた行うと、画像を拡大または縮小できる状態に戻り、更にジョグダイヤル６０を移動させることを行うと画像を水平方向にスクロールできる状態に戻る。すなわち拡大モード１５０では、ジョグダイヤル６０は２つの状態を切り換えるためのトグルスイッチとして機能する。
【００３２】
また、拡大モード１５０において、ＭＥＮＵ（↑）ＳＷ５４を押す毎に画像は垂直方向上側に順次スクロール移動し、ＥＮＴＥＲ（↓）ＳＷ５５を押す毎に画像は垂直方向下側に順次スクロール移動する。
以上説明した本発明の第一実施例に係るＤＳＣ１０によると、一つのジョグダイヤル６０により項目の選択と処理の実行の指示とが可能であるため、項目の選択と実行の指示とを別々の操作子で実現する場合に比べて操作性が向上する。また、ジョグダイヤル６０を回転する力は、ジョグダイヤル６０の回転軸と交差する方向に働くので、ジョグダイヤル６０を回転する力はジョグダイヤル６０を回転軸に沿って移動させる力として働かない。したがって項目を選択するときにジョグダイヤル６０を誤って回転軸方向に移動させてしまうことが起き難い。このため誤って実行を指示してしまうことを防止できる。
【００３３】
尚、上記実施例では、本発明の操作子として回転軸方向に移動可能であり、回転方向または回転角度等によりＤＳＣ１０の項目を選択するジョグダイヤル６０を採用した。これに対し、回転軸周りに一方向または両方向に揺動し、揺動回数または揺動方向によりＤＳＣの項目を選択するジョグダイヤルを本発明の操作子としてもよい。
【００３４】
また、上記実施例では下ポジションをホームポジションとしたが、上ポジションをホームポジションとし、実行を指示する際には下ポジション側に押し込むことで移動させるようにしてもよい。その場合は、付勢部材により上ポジションに付勢するようにするとよい。
また、上記実施例では、選択する項目として画像や表示するモードなどを例に説明したが、選択する項目はこれら以外であってもよい。具体的には例えば、上位メニューが「設定値一覧表示」、「カラー設定」、「フィルム設定」、「初期設定」などの項目を含み、「初期設定」には「日時設定」、「年月日設定」、「節電移行時間設定」、「ＬＣＤ明度」、「言語設定」などの項目を含む下位メニューが従属するようにしてもよい。例えば上位メニューで項目として「初期設定」が選択されて実行が指示されると下位メニューに移動し、下位メニューで「年月日設定」が選択されて実行が指示されるとユーザが年月日を設定するための画面をＬＣＤ５０に表示して設定を受け付ける処理を実行するようにしてもよい。
また、上記実施例では、本発明のディジタルカメラをディジタルスチルカメラに適用したが、本発明のディジタルカメラをディジタルビデオカメラに適用してもよい。
【００３５】
（第二実施例）
第二実施例は、移動させたときホームポジションに復帰せず、下ポジションと上ポジションとで回転可能なジョグダイヤル６０の例である。尚、第二実施例では第一実施例と実質的に同一の部分については同一の符号を付して説明を省略する。
【００３６】
ジョグダイヤル６０およびその周囲の構成を図１１に示す。ジョグダイヤル６０は連結部材６２によりシャフト６４と連結されている。回転軸としてのシャフト６４は、ジョグダイヤル６０と回転するとともに、シャフト６４の長手方向である回転軸方向にジョグダイヤル６０とともに移動する。シャフト６４の上部には、環状溝６５、６６が形成されている。ジョグダイヤル６０とともにシャフト６４が回転軸方向に変位するとき、Ｕ字状のクリップ６７が環状溝６５、６６に嵌合することにより、ジョグダイヤル６０を操作するユーザは、ジョグダイヤル６０が下ポジションまたは上ポジションに達したことを感知する。また、クリップ６７は弾性を有するので、ジョグダイヤル６０の上下ポジションでクリップ６７が環状溝６５または環状溝６６に嵌合することにより、ジョグダイヤル６０が回転軸方向に移動することを規制できる。
【００３７】
円筒カバー６８はシャフト６４に連結され、シャフト６４とともに回転し、回転軸方向にシャフト６４と移動する。円筒カバー６８の外周壁にギア７０、７４が取り付けられている。ギア７０、７４は円筒カバー６８とともに回転し、円筒カバー６８とともに回転軸方向に移動する。
ジョグダイヤル６０とともにギア７０が回転するときにギア７０が板ばね７２と当接することにより、ジョグダイヤル６０を回転操作するとき、ユーザはクリック感を得ることができる。
【００３８】
ギア７０と同軸上に設置されたギア７４の回転量はフォトインタラプタ７６がギア７４の歯数または欠歯数を検知することにより検出される。
リーフスイッチ(leaf switch)８０は、ジョグダイヤル６０とともに回転軸方向に移動するシャフト６４によってオン、オフされ、ジョグダイヤル６０が下ポジションにあるか、上ポジションにあるかを検出する。
【００３９】
再生モード１１０でジョグダイヤル６０が下ポジションにある場合は、コマ送り／戻しモード１１２である。ジョグダイヤル６０の上下ポジションは、リーフスイッチ８０により検出する。
再生モード１１０においてジョグダイヤル６０を下ポジションから上ポジションに押し上げて移動させ、上ポジションでジョグダイヤル６０を回転すると、移動したときに選択していた画像についての表示モードを選択できる。
【００４０】
拡大モード１５０においてジョグダイヤル６０が下ポジションにある場合、ジョグダイヤル６０の回転方向により、画像を拡大または縮小できる。
拡大モード１５０においてジョグダイヤル６０を下ポジションから上ポジションに押し上げて移動させ、上ポジションでジョグダイヤル６０を回転すると、ジョグダイヤル６０の回転方向により画像を右方向または左方向の水平方向にスクロールできる。
【００４１】
以上説明した本発明の第二実施例に係るＤＳＣ１０によると、現在の選択の対象となっているメニューが上位メニューであるか下位メニューであるかをジョグダイヤル６０の位置によって把握できる。例えば再生モード１１０では、ジョグダイヤル６０が下ポジションにあることで選択の対象が上位メニューであることを把握でき、上ポジションにあることで選択の対象が下位メニューであることを把握できる。例えば標準表示１１４で画像を標準表示している場合、ジョグダイヤル６０が下ポジションにあればユーザはジョグダイヤル６０を回転したとき次の画像が表示されると把握でき、下ポジションにあればユーザはジョグダイヤル６０を回転したとき表示するモードが替わると把握できる。このようにジョグダイヤル６０の位置によって選択の対象となっているメニューを把握できるので使い勝手がよい。
【００４２】
尚、上記実施例では、回転軸方向に異なる上下２個のポジションにジョグダイヤル６０が変位可能としたが、回転軸方向に異なる３個以上の複数ポジションにジョグダイヤル６０が変位可能としてもよい。
【図面の簡単な説明】
【００４３】
【図１】（Ａ）は本発明の一実施例によるＤＳＣの背面図、（Ｂ）は（Ａ）のＢ方向矢視図。
【図２】本実施例によるＤＳＣのハードウェアブロック図。
【図３】本実施例によるジョグダイヤルのポジションを示す模式図であり、（Ａ）は下ポジション、（Ｂ）は上ポジションである。
【図４】本実施例の変形例による選択肢のポジションを示す模式図であり、（Ａ）は下ポジション、（Ｂ）は上ポジションである。
【図５】本実施例の変形例によるジョグダイヤルのポジションを示す模式図であり、（Ａ）は下ポジション、（Ｂ）は上ポジションである。
【図６】本実施例の項目モードの遷移を示すフロー。
【図７】本実施例の再生モードにおける項目を示すフロー。
【図８】再生モードにおける各種表示状態を示す説明図。
【図９】再生モードにおける各種表示状態を示す説明図。
【図１０】本実施例の拡大モードおける項目を示すフロー。
【図１１】本実施例によるジョグダイヤルおよびその周囲を示す斜視図であり、（Ａ）はジョグダイヤルを装着した状態、（Ｂ）はジョグダイヤルを除いた状態、（Ｃ）はシャフトを示している。
【符号の説明】
【００４４】
１０  ディジタルスチルカメラ（ディジタルカメラ）、２０  処理部、５０  ＬＣＤ、６０  ジョグダイヤル（操作子）
【図１】
2005128252.tif 000003
【図２】
2005128252.tif 000004
【図３】
2005128252.tif 000005
【図４】
2005128252.tif 000006
【図５】
2005128252.tif 000007
【図６】
2005128252.tif 000008
【図７】
2005128252.tif 000009
【図８】
2005128252.tif 000010
【図９】
2005128252.tif 000011
【図１０】
2005128252.tif 000012
【図１１】
2005128252.tif 000013